(57)【要約】【課題】  傘袋スタンドが用意されていない場所でも濡れた傘を傘袋に入れることができるように、傘袋を簡単に携帯できるようにした傘袋携帯用具を提供する。【解決手段】  円筒状ケース１１の側面には、軸方向にスリット１４が形成されている。円筒状ケース１１内に傘袋が連続してロール状に巻回された傘袋ロール１２を収納し、傘袋ロール１２の先端１２ａをスリット１４から突出させ、蓋体１３を取り付ける。使用時には、傘袋ロール１２の先端１２ａをスリット１４から引き出し、傘袋を切り取る。【選択図】        図１
0003115805.tif 000002
【実用新案登録請求の範囲】
【請求項１】
側面の軸方向にスリットが形成された円筒状ケースと、
複数の傘袋が連続してロール状に巻回された傘袋ロールとからなり、
前記円筒状ケース内に前記傘袋ロールを収納しておき、使用時に、前記スリットから前記傘袋ロールを引き出し、前記傘袋ロールから前記傘袋を切り取るようにしたことを特徴とする傘袋携帯用具。
【請求項２】
前記傘袋ロールの各傘袋の境界に切目を設けるようにしたことを特徴とする請求項１に記載の傘袋携帯用具。
【請求項３】
前記円筒状ケースの一端にストラップを取り付けるようにしたことを特徴とする請求項１に記載の傘袋携帯用具。
【請求項４】
前記円筒状ケースの外周に、前記スリットを覆うカバー部材を設けるようにしたことを特徴とする請求項１に記載の傘袋携帯用具。
【請求項５】
前記円筒状ケースの一端は開口となっており、前記円筒状のケースの一端に蓋体を着脱自在に取り付けるようにしたことを特徴とする請求項１に記載の傘袋携帯用具。
【請求項６】
前記蓋体は、前記円筒状ケースの一端に螺合されることを特徴とする請求項５に記載の傘袋携帯用具。
【請求項７】
前記蓋体は、前記円筒状ケースの一端に係合されることを特徴とする請求項５に記載の傘袋携帯用具。
【請求項８】
前記円筒状ケースの両端を閉塞することを特徴とする請求項１に記載の傘袋携帯用具。
【考案の詳細な説明】
【技術分野】
【０００１】
本考案は、傘袋スタンドが用意されていない場所でも濡れた傘を傘袋に入れることができるように、使い捨ての傘袋を携帯するための傘袋携帯用具に関する。
【背景技術】
【０００２】
雨天時に人混みのある乗り物や電車やバス等に乗ったり、デパートやスーパーマーケット等に訪れる客は、濡れた傘を携帯しており、このような濡れた傘を持った客が車内や店内に入ると、傘の水が床に落ち、車内や店内を汚してしまう。そこで、従来より、デパートやスーパーマーケットの店頭には、雨天時に、使い捨ての傘袋がストックされた傘袋スタンドが置かれ、雨天時に濡れた傘を持った客は、この傘袋スタンドから傘袋を取り出して、濡れた傘を傘袋に入れて店内に入る。これにより、傘の水が床に落ち、店内を汚してしまうことが防止される。
【０００３】
なお、傘袋をストックしておく傘袋スタンドとしては、例えば、以下の特許文献１に記載されている。
【特許文献１】実開平５−６３３７８号公報
【考案の開示】
【考案が解決しようとする課題】
【０００４】
ところが、このような従来の傘袋スタンドは、雨天時にのみ、デパートやスーパーマーケットの店頭に設置され、晴天時には、店頭から撤去されている。このため、夕立等の突然の雨の場合には、傘袋スタンドの設置が間に合わず、濡れたままの傘が店内に持ち込まれてしまう場合がある。
【０００５】
また、傘袋スタンドが設置されているのは、デパートやスーパーマーケット等の大規模店舗に限られている。中小の店舗では、傘袋スタンドが用意されていない所が多い。
【０００６】
本考案は、上述の課題を鑑み、傘袋スタンドが用意されていない場所でも濡れた傘を傘袋に入れることができるように、傘袋を簡単に携帯できるようにした傘袋携帯用具を提供することを目的とする。
【課題を解決するための手段】
【０００７】
上述の課題を解決するために、本考案に係る傘袋携帯用具は、側面の軸方向にスリットが形成された円筒状ケースと、複数の傘袋が連続してロール状に巻回された傘袋ロールとからなり、円筒状ケース内に傘袋ロールを収納しておき、使用時に、スリットから傘袋ロールを引き出し、傘袋ロールから傘袋を切り取るようにしたことを特徴とする。
【０００８】
好ましくは、傘袋ロールの各傘袋の境界に切目を設けるようにしたことを特徴とする。
【０００９】
好ましくは、円筒状ケースの一端にストラップを取り付けるようにしたことを特徴とする。
【００１０】
好ましくは、円筒状ケースの外周に、スリットを覆うカバー部材を設けるようにしたことを特徴とする。
【００１１】
好ましくは、円筒状ケースの一端は開口となっており、円筒状のケースの一端に蓋体を着脱自在に取り付けるようにしたことを特徴とする。
【００１２】
好ましくは、蓋体は、円筒状ケースの一端に螺合されることを特徴とする。
【００１３】
好ましくは、蓋体は、円筒状ケースの一端に係合されることを特徴とする。
【００１４】
好ましくは、円筒状ケースの両端を閉塞することを特徴とする。
【考案の効果】
【００１５】
本考案によれば、側面の軸方向にスリットが形成された円筒状ケースと、複数の傘袋が連続してロール状に巻回された傘袋ロールとからなり、円筒状ケース内に傘袋ロールを収納しておき、使用時に、スリットから傘袋ロールを引き出し、傘袋ロールから傘袋を切り取るようにしている。このため、傘袋携帯用具を常に携帯し、必要なときは直ちに、傘袋携帯用具から傘袋を取り出すことができる。これにより、突然の雨で店頭に傘袋スタンドが用意されていないときや、傘袋スタンドが設けられていない場所でも、濡れた傘を傘袋に収納することができる。
【００１６】
また、本考案によれば、傘袋ロールの各傘袋の境界に切目を設けるようにしているので、使用時に、円筒状ケースのスリットから傘袋ロールを引き出し、傘袋ロールから傘袋を容易に切り取ることができる。
【００１７】
また、本考案によれば、円筒状ケースの一端にストラップを取り付けるようにしているので、傘袋携帯用具を容易に持ち歩くことができる。
【００１８】
また、本考案によれば、円筒状ケースの外周に、スリットを覆うカバー部材を設けるようにしているので、スリットから突出した傘袋ロールを保護することができる。
【００１９】
また、本考案によれば、円筒状ケースの一端は開口となっており、円筒状のケースの一端に蓋体を着脱自在に取り付けるようにしている。すなわち、蓋体は、円筒状ケースの一端に螺合される。また、蓋体は、円筒状ケースの一端に係合される。このため、傘袋ロールを使い切った場合には、蓋体を取り外して、円筒状ケース内の傘袋ロールを、新たな傘袋ロールに簡単に交換することができる。
【００２０】
また、本考案によれば、円筒状ケースの両端を閉塞するようにしている。これにより、生産性が増大し、コストダウンを図ることができる。
【考案を実施するための最良の形態】
【００２１】
第１実施形態．
以下、本考案の実施の形態について図面を参照しながら説明する。図１は、本考案の第１実施形態の傘袋携帯用具１の分解斜視図を示すものである。図１において、傘袋携帯用具１は、円筒状ケース１１と、傘袋ロール１２と、蓋体１３とから構成されている。
【００２２】
円筒状ケース１１は、例えば合成樹脂により形成される。図２（Ａ）に示すように、円筒状ケース１１の一端１１ａは開口となっており、円筒状ケース１１の一端１１ａの近傍にはネジ溝が切ってある。円筒状ケース１１の他端１１ｂは閉塞されている。円筒状ケース１１の側面には、円筒状ケース１１の一端１１ａから連通して、軸方向にスリット１４が形成される。
【００２３】
傘袋ロール１２は、図３（Ａ）に示すように、例えばポリエチレンやビニルからなる複数の傘袋１６を連続してロール状に巻回したものである。各傘袋１６は閉塞部１７で袋閉じされており、各傘袋１６の境界には、ミシン目等による切目１８が設けられている。傘袋ロール１２は、切目１８の部分から容易に切断することができ、傘袋ロール１２を切目１８から切断すると、図３（Ｂ）に示すような１枚の傘袋１６となる。
【００２４】
なお、図３（Ｂ）に示すように、１つの傘袋１６の幅Ｌ１は例えば１２ｃｍであり、傘袋１６の長さＬ２は例えば７０ｃｍである。傘袋ロール１２は、例えば１５枚程度の傘袋１６を連続してロール状にしたものである。傘袋ロール１２の色としては、透明、白色、白色半透明の他、淡い青色や淡いピンク色に着色したものを用いても良い。
【００２５】
また、図２（Ａ）に示すように、スリット１４の長さＬ１１は、傘袋１６の幅Ｌ１より僅かに長く、例えば１３ｃｍとされている。また、スリット１４の幅Ｌ１２は、傘袋ロール１２を容易に引き出せる幅、例えば２ｍｍとされている。
【００２６】
図１において、蓋体１３は、円筒状ケース１１の一端１１ａに、着脱自在に取り付けられる。この蓋体１３は、図２（Ｂ）にその断面図で示すように、その内側にネジ溝が切ってある。
【００２７】
図１に示すように、円筒状ケース１１の一端１１ａから円筒状ケース１１内に傘袋ロール１２が収納される。収納方法は、傘袋ロール１２の先端１２ａを円筒状ケース１１のスリット１４から出したまま傘袋ロール１２を円筒状ケース１１内に挿入し、傘袋ロール１２が円筒状ケース１１に挿入された状態では、傘袋ロール１２の先端１２ａが円筒状ケース１１のスリット１４から突出される。その後、円筒状ケース１１の一端１１ａに、蓋体１３が螺合される。
【００２８】
図４は、このような傘袋携帯用具１の使用方法を示すものである。この傘袋携帯用具１の円筒状ケース１１内には、傘袋ロール１２が収納されており、図４（Ａ）に示すように、傘袋ロール１２の先端１２ａはスリット１４から突出される。
【００２９】
雨に濡れた傘をスーパーマーケットやデパートの店内に持ち込む場合には、ユーザは、スリット１４から突出されている傘袋ロール１２の先端１２ａを持ち、図４（Ｂ）に示すように、傘袋ロール１２を矢印の方向に引き出す。そして、切目１８の部分で切断する。傘袋ロール１２を切目１８の部分で切断すると、傘袋ロール１２から、図３（Ｂ）に示したような１枚の傘袋１６が切り離される。この傘袋１６に濡れた傘を収納すれば、濡れた傘で、スーパーマーケットやデパートの店内を汚すことがなくなる。
【００３０】
なお、使用を重ねていくと、傘袋ロール１２を使い切ることになる。この実施形態では、円筒状ケース１１の一端１１ａには、着脱自在の蓋体１３が取り付けられている。したがって、傘袋ロール１２を使い切った場合には、蓋体１３を取り外し、円筒状ケース１１内の傘袋ロール１２を、新しいものに簡単に交換することができる。
【００３１】
第２実施形態．
図５は、本考案の第２実施形態を示すものである。この実施形態では、蓋体１３に、ストラップ２１を取り付けるようにしたものである。このようにストラップ２１を取り付けておくと、携帯に便利である。また、各種のストラップを用意することで、ファッション性も期待できる。
【００３２】
また、このストラップ２１の輪の部分２４の大きさは、締め具２５で調整できるようにしている。このようなストラップ２１を取り付けておくと、傘の柄の部分にストラップ２１により傘袋携帯用具１を吊り下げておくことができる。これにより、傘と傘袋携帯用具１とを一体として携帯することができる。他の構成については、前述の第１実施形態と同様であり、その説明を省略する。
【００３３】
第３実施形態．
図６は、本考案の第３実施形態を示すものである。この実施形態は、円筒状ケース１１の外周に、スリット１４を覆うナイロンフィルム等のカバー部材４１を貼り付けるようにしたものである。円筒状ケース１１の外周に、このようなカバー部材４１を貼り付けると、スリット１４を塞ぐベラとなり、傘袋ロール１２の先端１２ａが外部に露呈されることがなくなる。他の構成については、前述の第１実施形態と同様であり、その説明を省略する。
【００３４】
第４実施形態．
図７は、本考案の第４実施形態を示すものである。前述の第１実施形態では、蓋体１３を円筒状ケース１１の一端１１ａに着脱自在に取り付けるために、円筒状ケース１１の一端１１ａに蓋体１３を螺合している。これに対して、この実施形態では、円筒状ケース１１の一端１１ａに沿って凸部５１を設け、蓋体１３の内側に凸部５２を設け、蓋体１３の凸部５２と円筒状ケース１１の凸部５１とを係合して、蓋体１３を円筒状ケース１１の一端１１ａに着脱自在に取り付けるようにしている。他の構成については、前述の第１実施形態と同様であり、その説明を省略する。
【００３５】
第５実施形態．
図８は、本考案の第５実施形態を示すものである。前述までの実施形態では、円筒状ケース１１の一端１１ａに蓋体１３を着脱自在に取り付けるようにしている。これに対して、この実施形態では、円筒状ケース１１内に傘袋ロール１２を収納した後に、生産時に、円筒状ケース１１の両端１１ａ及び１１ｂを、端面板６１ａ及び６１ｂで閉塞するようにしたものである。このような構成では、傘袋ロール１２を使い切ったときに、傘袋ロール１２を新しいものに取り替えることは困難になるが、生産性の向上を図ることができる。また、円筒状ケース１１と端面板６１ａ及び６１ｂとを一体的に生産できることから、コストダウンが期待できる。
【００３６】
本考案は、上述した実施形態に限定されるものではなく、本考案の要旨を逸脱しない範囲内で様々な変形や応用が可能である。
【産業上の利用可能性】
【００３７】
本考案は、使い捨ての傘袋を携帯するための傘袋携帯用具として用いることができる。
【図面の簡単な説明】
【００３８】
【図１】本考案の第１実施形態の分解斜視図である。
【図２】本考案の第１実施形態の円筒状ケースの側面図及び蓋体の側面断面図である。
【図３】本考案の第１実施形態の傘袋ロール及び傘袋の説明図である。
【図４】本考案の第１実施形態の使用時の説明図である。
【図５】本考案の第２実施形態の斜視図である。
【図６】本考案の第３実施形態の斜視図である。
【図７】本考案の第４実施形態の円筒状ケースの側面図及び蓋体の側面断面図である。
【図８】本考案の第５実施形態の側面図である。
【符号の説明】
【００３９】
１    傘袋携帯用具
１１  円筒状ケース
１２  傘袋ロール
１３  蓋体
１４  スリット
１６  傘袋
１７  閉塞部
１８  切目
２１  ストラップ
４１  カバー部材
５１、５２  凸部
６１ａ、６１ｂ  端面板
【図１】
0003115805.tif 000003
【図２】
0003115805.tif 000004
【図３】
0003115805.tif 000005
【図４】
0003115805.tif 000006
【図５】
0003115805.tif 000007
【図６】
0003115805.tif 000008
【図７】
0003115805.tif 000009
【図８】
0003115805.tif 000010